(57)【要約】【課題】筐体がプラスチック製の折り畳み式携帯電話のシールド、フレームグランドおよびアンテナの特性を向上する。【解決手段】キー側筐体２は、プラスチックで成型されたフロントケース７およびリアケース８から成り、内蔵する回路基板１０にコネクタ１１を介して接続されたフレキシブルケーブル９が配線挿通口１２を通ってヒンジ部５内に引き出され、さらに表示側筐体の内部の回路に接続されている。配線挿通口１２においてフロントケース７およびリアケース８に取り付けられた導電パッキン１３および１４がフレキシブルケーブル９を挟むようにして互いに圧接されて密着している。フロントケース７およびリアケース８の内面に設けられた、内部の回路をシールドし、フレームグランドとするための金属の蒸着メッキ面１５および１６が導電パッキン１３および１４を介して導通している。【選択図】      図２
2004214443.tif 000002
【特許請求の範囲】
【請求項１】
ヒンジ部を介して相互に回転可能に連結された第１および第２の筐体と、相互の周縁を合わせて前記第１の筐体を構成する第１および第２のケースと、前記第１の筐体の内部から前記ヒンジ部を通って前記第２の筐体へ配線を通すために前記第１および第２のケースの間に設けられた配線挿通口と、前記配線挿通口の周囲を成す前記第１のケースの周縁に取り付けられた導電性の第１の防水用部材と、前記配線挿通口の周囲を成す前記第２のケースの周縁に取り付けられ前記配線を挟んで前記第１の防水用部材と接する導電性の第２の防水用部材と、前記第１のケースに設けられ前記第１の防水用部材に導通する第１の導電面と、前記第２のケースに設けられ前記第２の防水用部材に導通する第２の導電面とを含むことを特徴とする折り畳み式電子装置。
【請求項２】
ヒンジ部を介して相互に回転可能に連結された第１および第２の筐体と、相互の周縁を合わせて前記第１の筐体を構成する第１および第２のケースと、前記第１の筐体の内部から前記ヒンジ部を通って前記第２の筐体へ配線を通すために前記第１および第２のケースの間に設けられた配線挿通口と、前記配線挿通口の周囲を成す前記第１のケースの周縁に取り付けられた導電性の第１のパッキンと、前記配線挿通口の周囲を成す前記第２のケースの周縁に取り付けられ前記配線を挟んで前記第１の防水用部材と接する導電性の第２のパッキンと、前記第１のケースに設けられ前記第１のパッキンに導通する第１の導電面と、前記第２のケースに設けられ前記第２のパッキンに導通する第２の導電面とを含むことを特徴とする折り畳み式電子装置。
【請求項３】
前記第１および第２のパッキンの双方または一方は、磁性体と、この磁性体の回りに成型された弾性を有する樹脂とを含むことを特徴とする請求項２に記載の折り畳み式電子装置。
【請求項４】
ヒンジ部を介して相互に回転可能に連結された第１および第２の筐体と、相互の周縁を合わせて前記第１の筐体を構成する第１および第２のケースと、前記第１の筐体の内部から前記ヒンジ部を通って前記第２の筐体へ配線を通すために前記第１および第２のケースの間に設けられた配線挿通口と、前記配線挿通口の周囲を成す前記第１のケースの周縁に取り付けられた導電性の第１の吸水シートと、前記配線挿通口の周囲を成す前記第２のケースの周縁に取り付けられ前記配線を挟んで前記第１の吸水シートと接する導電性の第２の吸水シートと、前記第１のケースに設けられ前記第１の吸水シートに導通する第１の導電面と、前記第２のケースに設けられ前記第２の吸水シートに導通する第２の導電面とを含むことを特徴とする折り畳み式電子装置。
【請求項５】
前記配線は、フレキシブルケーブルであることを特徴とする請求項１〜４のいずれかに記載の折り畳み式電子装置。
【請求項６】
前記第１および第２のケースはプラスチックから成り、前記前記第１および第２の導電面はそれぞれ前記第１および第２のケースそれぞれの表面に形成された金属層であることを特徴とする請求項１〜５のいずれかに記載の折り畳み式電子装置。
【請求項７】
前記第１のケースにキーが設けられ、前記第２のケースに表示画面が設けられた折り畳み式携帯電話であることを特徴とする請求項１〜６のいずれかに記載の折り畳み式電子装置。
【発明の詳細な説明】
【０００１】
【発明の属する技術分野】
本発明は、折り畳み式電子装置に関し、特にプラスチック製の筐体から成り防水対策が施された折り畳み式携帯電話に関する。
【０００２】
【従来の技術】
最近の国内市場の携帯電話は、折り畳み式が主流となってきている。図３は、折り畳み式携帯電話の開いた状態の斜視図である。
【０００３】
図３において、表示側筐体１とキー側筐体２がヒンジ部５を介して相互に回転自在に連結されている。表示側筐体１には表示画面３が設けられ、キー側筐体２にはキー４が設けられている。また、表示側筐体１には伸縮自在なロッド（図３は縮めた状態でロッドは示されていない。）を有するアンテナ６も設けられている。
【０００４】
図には詳細に示してないが、表示側筐体１およびキー側筐体２それぞれは、前面側のフロントケースと背面側のリアケースとをそれぞれのヒンジ部５を除く部分の周縁（後述の配線挿通口を除く。）に設けた凸条を密着させて内部を密閉するように構成され、回路基板等を内蔵している。表示側筐体１の内部の回路とキー側筐体２の内部の回路とは、ヒンジ部５を通るフレキシブルケーブルにより互いに接続されている。従って、表示側筐体１およびキー側筐体２それぞれは、このフレキシブルケーブルを内部からヒンジ部５へ配線するための配線挿通口を設けていて、この配線挿通口は表示側筐体１およびキー側筐体２の周縁の凸条を切り欠くようにして形成されている。
【０００５】
配線挿通口には、例えば特許文献１の折り畳み式携帯通信端末機に開示されているように挿通するフレキシブルケーブルを挟み込むパッキンを設けて、配線挿通口を完全に塞ぎ、表示側筐体１およびキー側筐体２内への液体の侵入を防止しているものがある。
【０００６】
一方、折り畳み式携帯電話の筐体は、従来マグネシューム等の金属製であったが、素材にプラスチックを使用した方が量産性が向上する。しかし、プラスチック製の筐体は、金属筐体に比べるとフレームグランドが劣化し、筐体シールドが劣化してしまう。
【０００７】
また、折り畳み式携帯電話の表示側匡体内の回路基板とキー側筐体内の回路基板の接続は、ヒンジ部を通るフレキシブルケーブル（ＦＰＣ）にて接続する方法が一般的であるが、近年の携帯電話の進歩により、より速い電気信号が流れることにより、ノイズの発生源になってきている。
【０００８】
【特許文献１】
特開２００２‐３１９７７１号公報（段落００１０、図３）
【０００９】
【発明が解決しようとする課題】
折り畳み式携帯電話等の折り畳み式電子装置は、量産性の向上のために筐体の素材をプラスチックとし、しかもフレームグランドおよび筐体シールドが劣化しないようにする必要がある。
【００１０】
また、折り畳み式携帯電話等の折り畳み式電子装置に速い電気信号が流れても、ヒンジ部のフレキシブルケーブルに発生するノイズを低減する必要がある。
【００１１】
【課題を解決するための手段】
請求項１に係る発明の折り畳み式電子装置は、ヒンジ部（図１の５）を介して相互に回転可能に連結された第１および第２の筐体（図１、図３の１、２）と、相互の周縁を合わせて前記第１の筐体を構成する第１および第２のケース（図２の７、８）と、前記第１の筐体の内部から前記ヒンジ部を通って前記第２の筐体へ配線（図２の９）を通すために前記第１および第２のケースの間に設けられた配線挿通口（図２の１２）と、前記配線挿通口の周囲を成す前記第１のケースの周縁に取り付けられた導電性の第１の防水用部材（図２の１３）と、前記配線挿通口の周囲を成す前記第２のケースの周縁に取り付けられ前記配線を挟んで前記第１の防水用部材と接する導電性の第２の防水用部材（図２の１４）と、前記第１のケースに設けられ前記第１の防水用部材に導通する第１の導電面（図２の１５）と、前記第２のケースに設けられ前記第２の防水用部材に導通する第２の導電面（図２の１６）とを含むことを特徴とする。
【００１２】
請求項２に係る発明の折り畳み式電子装置は、ヒンジ部（図１の５）を介して相互に回転可能に連結された第１および第２の筐体（図１、３の１、２）と、相互の周縁を合わせて前記第１の筐体を構成する第１および第２のケース（図２の７、８）と、前記第１の筐体の内部から前記ヒンジ部を通って前記第２の筐体へ配線（図２の９）を通すために前記第１および第２のケースの間に設けられた配線挿通口（図２の１２）と、前記配線挿通口の周囲を成す前記第１のケースの周縁に取り付けられた導電性の第１のパッキン（図２の１３）と、前記配線挿通口の周囲を成す前記第２のケースの周縁に取り付けられ前記配線を挟んで前記第１の防水用部材と接する導電性の第２のパッキン（図２の１４）と、前記第１のケースに設けられ前記第１のパッキンに導通する第１の導電面（図２の１５）と、前記第２のケースに設けられ前記第２のパッキンに導通する第２の導電面（図２の１６）とを含むことを特徴とする。
【００１３】
請求項３に係る発明は、請求項２に係る発明の折り畳み式電子装置であって、前記第１および第２のパッキンの双方または一方は、磁性体と、この磁性体の回りに成型された弾性を有する樹脂とを含むことを特徴とする。
【００１４】
請求項４に係る発明の折り畳み式電子装置は、ヒンジ部（図１の５）を介して相互に回転可能に連結された第１および第２の筐体（図１、３の１、２）と、相互の周縁を合わせて前記第１の筐体を構成する第１および第２のケース（図２の７、８）と、前記第１の筐体の内部から前記ヒンジ部を通って前記第２の筐体へ配線（図２の９）を通すために前記第１および第２のケースの間に設けられた配線挿通口（図２の１２）と、前記配線挿通口の周囲を成す前記第１のケースの周縁に取り付けられた導電性の第１の吸水シートと、前記配線挿通口の周囲を成す前記第２のケースの周縁に取り付けられ前記配線を挟んで前記第１の吸水シートと接する導電性の第２の吸水シートと、前記第１のケースに設けられ前記第１の吸水シートに導通する第１の導電面（図２の１５）と、前記第２のケースに設けられ前記第２の吸水シートに導通する第２の導電面（図２の１６）とを含むことを特徴とする。
【００１５】
請求項５に係る発明は、請求項１〜４のいずれかに係る発明の折り畳み式電子装置であって、前記配線は、フレキシブルケーブルであることを特徴とする。
【００１６】
請求項６に係る発明は、請求項１〜５のいずれかに係る発明の折り畳み式電子装置であって、前記第１および第２のケースはプラスチックから成り、前記前記第１および第２の導電面はそれぞれ前記第１および第２のケースそれぞれの表面に形成された金属層であることを特徴とする。
【００１７】
請求項７に係る発明は、請求項１〜６のいずれかに係る発明の折り畳み式電子装置であって、前記第１のケースにキー（図３の４）が設けられ、前記第２のケースに表示画面（図３の３）が設けられた折り畳み式携帯電話であることを特徴とする。
【００１８】
【発明の実施の形態】
次に、本発明の実施の形態について図面を参照して詳細に説明する。
【００１９】
図１および図２は、本発明の実施の形態の折り畳み式携帯電話のキー側筐体２のヒンジ部５およびその近傍のみを示す正面図および図１に示すＡＡ断面図である。
【００２０】
キー側筐体２は、プラスチックで成型されたフロントケース７およびリアケース８から成り、回路基板１０を内蔵する。回路基板１０に搭載されたコネクタ１１に接続されたフレキシブルケーブル９がキー側筐体２の内部からフロントケース７およびリアケース８の間に設けられた配線挿通口１２を通ってヒンジ部５内に引き出され、図には示されていないが、さらに表示側筐体の配線挿通口を通って表示側筐体の内部の回路に接続されている。
【００２１】
ヒンジ部５における筐体間の隙間を通り、さらに配線挿通口１２を通って外部から水分がキー側筐体２の内部に侵入するのを防止するために導電パッキン１３および１４が設けられている。導電パッキン１３および１４はそれぞれ、フロントケース７およびリアケース８の配線挿通口１２を形成する部分に固定され、相互の間にフレキシブルケーブル９を挟むようにして互いに圧接されて密着している。従って、導電パッキン１３および１４は、互いにフレキシブルケーブル９が占める部分以外の圧接部分で電気的に導通している。
【００２２】
フロントケース７およびリアケース８はそれぞれ、ヒンジ部５を含み、内部の回路をシールドし、フレームグランドとするために内面の適切な範囲に金属の蒸着メッキ面１５および１６が設けられている。なお、フロントケース７およびリアケース８の蒸着メッキ面１５および１６を設ける範囲は、一般に実験的に求めた最適な範囲に設定される。
【００２３】
フロントケース７およびリアケース８の蒸着メッキ面１５および１６を設ける範囲は、導電パッキン１３および１４の取り付け面も含み、蒸着メッキ面１５および１６は導電パッキン１３および１４を介して導通する。この導通により蒸着メッキ面１５および１６のシールドおよびフレームグランドとしての効果が向上する。また、携帯電話の無線通信のためのアンテナ特性も向上する。
【００２４】
また、導電パッキン１３および１４でフレキシブルケーブル９を挟み込むことにより、フレキシブルケーブル９の位置が安定し、ノイズの発生が不安定になるのが防止される。
【００２５】
導電パッキン１３および１４は、例えば導電性の物質を混入したシリコン樹脂を成型して用いることができる。また、導電性の防水部材として導電パッキン１３および１４の替わりに、導電性の繊維から成るフェルトまたは導電性の繊維を混入したフェルトをフロントケース７およびリアケース８に両面テープ等を用いて貼り付けた導電性の吸水シートを用いることもできる。
【００２６】
また、導電パッキン１３および１４としてフェライトなどの磁性体を芯材として、その回りを導電性のシリコン樹脂で覆うようにインサート成型したものを用いることにより、ヒンジ部５におけるフレキシブルケーブル９からの電磁ノイズの発生を低減することができる。
【００２７】
なお、本発明は、折り畳み式の携帯電話に限られず、携帯用の折り畳み式の端末装置、ノート型のパーソナルコンピュータ等の第１の筐体に対し第２の筐体がヒンジ部で連結されているような種々の折り畳み式の電子装置に適用できる。
【００２８】
また、第１および第２のケースに設ける第１および第２の導電面として蒸着メッキ面のほか、導電性の樹脂の塗布膜等でもよい。
【００２９】
さらに、第１および第２の筐体は、プラスチック製に限られず、例えば一部を金属板で構成されるようなものでもよく、この場合は、この金属板を第１または第２の導電面の一部とすることもできる。
【００３０】
また、第１および第２の筐体間の配線は、複数の銅線が並列して平らな帯状に構成されたフレキシブルケーブルに限られず、単芯のケーブルや同軸ケーブルを含むものでも構わない。
【００３１】
【発明の効果】
本発明の折り畳み式電子装置は、第１の筐体の配線挿通口に導電性の第１および第２の防水用部材を取り付け、第１および第２のケースに設けた第１および第２の導電面を第１および第２の防水用部材で導通させることにより、第１の筐体がプラスチック製であっても、筐体シールドおよびフレームグランドの特性を向上させることができる効果がある。また、折り畳み式携帯電話のようにアンテナを設けた場合は、アンテナ特性も向上する効果がある。
【図面の簡単な説明】
【図１】本発明の実施の形態の折り畳み式携帯電話のキー側筐体２のみのヒンジ部５の近傍の正面図である。
【図２】図１のＡＡ断面図である。
【図３】折り畳み式携帯電話の開いた状態の斜視図である。
【符号の説明】
１    表示側筐体
２    キー側筐体
３    表示画面
４    キー
５    ヒンジ部
６    アンテナ
７    フロントケース
８    リアケース
９    フレキシブルケーブル
１０    回路基板
１１    コネクタ
１２    配線挿通口
１３    導電パッキン
１４    導電パッキン
１５    蒸着メッキ面
１６    蒸着メッキ面
【図１】
2004214443.tif 000003
【図２】
2004214443.tif 000004
【図３】
2004214443.tif 000005